(57)【要約】【課題】  ユーザ数よりもアクセスポイントが多いシステムでも、高価なＩＤリーダの数を削減することのできるＩＤ認識システムを得る。【解決手段】  アクセスポイントに配置され、アクセスポイントＩＤ３１を有するＩＤ媒体３を、このアクセスポイントに接近したユーザの携帯するＩＤ端末２のＩＤリーダ２１により読取り、この読取ったアクセスポイントＩＤ３１及びＩＤ端末２の保持するユーザＩＤ２２をＩＤ端末２の無線通信手段２３により、システム制御系１に送信すると、システム制御系１では、このユーザＩＤ２２及びアクセスポイントＩＤ３２に基づき、機器６を制御する制御指令を機器６の機器コントローラ６１に送信して、機器６を制御するようにした。【選択図】図１
2006201840.tif 000002
【特許請求の範囲】
【請求項１】
アクセスポイントに配置され、上記アクセスポイントを識別するアクセスポイントＩＤ
を有するＩＤ媒体、ユーザに携帯され、上記ユーザを識別するユーザＩＤを保持すると共
に、上記ＩＤ媒体のアクセスポイントＩＤを読取り、この読取ったアクセスポイントＩＤ
及び上記ユーザＩＤを無線により送信するＩＤ端末、及びアクセスポイントＩＤ及びユー
ザＩＤと機器の制御内容とを対応付けた制御テーブルを有し、上記ＩＤ端末から送信され
た上記アクセスポイントＩＤ及びユーザＩＤを受信し、この受信したアクセスポイントＩ
Ｄ及びユーザＩＤと上記制御テーブルとの照合に応じて上記機器を制御する制御指令を上
記機器に送信するシステム制御部を備え、上記ＩＤ端末は、上記ＩＤ媒体のアクセスポイ
ントＩＤを読取るＩＤリーダと、このＩＤリーダにより読取られたアクセスポイントＩＤ
及び上記ユーザＩＤを上記システム制御部に無線により送信する無線通信手段とを有する
ことを特徴とするＩＤ認識システム。
【請求項２】
上記制御指令によって制御される機器は、複数であることを特徴とする請求項１記載の
ＩＤ認識システム。
【発明の詳細な説明】
【技術分野】
【０００１】
この発明は、ユーザの所持するユーザＩＤの認識を行うＩＤ認識システムに関するもの
である。
【背景技術】
【０００２】
従来のユーザＩＤの認識を行うシステムでは、システムを構成する各機器にＩＤリーダ
が内蔵あるいは接続され、ユーザの持つＩＤ媒体からユーザＩＤが、ＩＤリーダによって
読み込まれ、機器が持つ機器ＩＤとともに、システム制御系に送信される。
システム制御系は、制御テーブルを有し、送信された機器ＩＤとユーザＩＤによりシス
テム制御が決定され、各機器のコントローラに制御指令が送信される。これによりシステ
ムの各機器が制御される。
特許文献１には、異種リーダによりカードなどのデータを読取り、これを出入管理装置
に送信すると、出入管理装置は、登録されたデータと照合するものが、記載されている。
【０００３】
特許文献２には、管理データの入力、保存及び検索を行う管理サーバと、インターネッ
トを介して管理サーバをアクセスする機能を有するバーコード端末を含み、バーコード端
末は、携帯電話機部とバーコードリーダ部により構成され、製造現場の所定箇所に表示さ
れたバーコードを読み取り、管理サーバに送信するものが、記載されている。
特許文献３には、人に携帯される非接触方式ＩＣタグが、アンテナと、リーダからの信
号を受信して応答する信号をリーダに送信する回路とを有し、この非接触方式ＩＣタグが、
リーダから発せられた質問信号を受信する段階と、非接触方式ＩＣタグからの応答信号を
リーダが受信する段階と、この応答信号に基づき人の位置情報を把握する段階とからなる
人の位置情報把握システムが、記載されている。
【０００４】
【特許文献１】特許第３３１２６０３号公報（第２〜４頁、図１）
【特許文献２】特開２００２−３４１９２７号公報（第３〜５頁、図１）
【特許文献３】特開２００３−２９６６６７号公報（第４〜６頁、図１）
【発明の開示】
【発明が解決しようとする課題】
【０００５】
従来は、以上説明したように構成されているので、以下の問題が生じる。
機器毎にＩＤリーダが内蔵あるいは接続されるので、ユーザ数よりもアクセスポイント
が多いシステムでは、高価なＩＤリーダの数が多くなり、システムのコストが増大する。
また、ＩＤリーダの設置場所は、ＩＤリーダの形状、大きさ、機器との位置関係、配線
などにより制約を受ける。
また、一般的に、インタフェースの問題やコストの問題から、１つの機器に対して２つ
以上のＩＤリーダを対応させることが難しいという問題があった。
これらの問題は、異種リーダによりカードなどのデータを読取り、これを出入管理装置
に送信する特許文献１でも同様である。
【０００６】
特許文献２のバーコード端末は、読取ったバーコードを管理サーバに送信するものであ
り、バーコード端末自体が認証されるものではなかった。
また、特許文献３のものでは、人が携帯する非接触方式ＩＣタグを、リーダにより読取
り、これにより人の位置情報を得るもので、このため、アクセスポイントが多い場合には、
上述と同様の問題があった。
【０００７】
この発明は、上述のような課題を解決するためになされたものであり、ユーザ数よりも
アクセスポイントが多いシステムでも、高価なＩＤリーダの数を削減することのできるＩ
Ｄ認識システムを得ることを目的にしている。
【課題を解決するための手段】
【０００８】
この発明に係わるＩＤ認識システムにおいては、アクセスポイントに配置され、アクセ
スポイントを識別するアクセスポイントＩＤを有するＩＤ媒体、ユーザに携帯され、ユー
ザを識別するユーザＩＤを保持すると共に、ＩＤ媒体のアクセスポイントＩＤを読取り、
この読取ったアクセスポイントＩＤ及びユーザＩＤを無線により送信するＩＤ端末、及び
アクセスポイントＩＤ及びユーザＩＤと機器の制御内容とを対応付けた制御テーブルを有
し、ＩＤ端末から送信されたアクセスポイントＩＤ及びユーザＩＤを受信し、この受信し
たアクセスポイントＩＤ及びユーザＩＤと制御テーブルとの照合に応じて機器を制御する
制御指令を機器に送信するシステム制御部を備え、ＩＤ端末は、ＩＤ媒体のアクセスポイ
ントＩＤを読取るＩＤリーダと、このＩＤリーダにより読取られたアクセスポイントＩＤ
及びユーザＩＤをシステム制御部に無線により送信する無線通信手段とを有するものであ
る。
【発明の効果】
【０００９】
この発明は、以上説明したように、アクセスポイントに配置され、アクセスポイントを
識別するアクセスポイントＩＤを有するＩＤ媒体、ユーザに携帯され、ユーザを識別する
ユーザＩＤを保持すると共に、ＩＤ媒体のアクセスポイントＩＤを読取り、この読取った
アクセスポイントＩＤ及びユーザＩＤを無線により送信するＩＤ端末、及びアクセスポイ
ントＩＤ及びユーザＩＤと機器の制御内容とを対応付けた制御テーブルを有し、ＩＤ端末
から送信されたアクセスポイントＩＤ及びユーザＩＤを受信し、この受信したアクセスポ
イントＩＤ及びユーザＩＤと制御テーブルとの照合に応じて機器を制御する制御指令を機
器に送信するシステム制御部を備え、ＩＤ端末は、ＩＤ媒体のアクセスポイントＩＤを読
取るＩＤリーダと、このＩＤリーダにより読取られたアクセスポイントＩＤ及びユーザＩ
Ｄをシステム制御部に無線により送信する無線通信手段とを有するので、ユーザ数よりも
アクセスポイントが多いシステムでは、高価なＩＤリーダの数を減らすことができ、シス
テムのコスト低減を図ることができる。
【発明を実施するための最良の形態】
【００１０】
実施の形態１．
図１は、この発明の実施の形態１によるＩＤ認識システムを示すシステム構成図である。
図１において、システム制御系１（システム制御部）は、システムネットワーク４を介
して、システムに属する機器６に接続されている。機器６は、機器コントローラ６１を有
し、この機器コントローラ６１により制御される。ＩＤ媒体３は、物体や空間などのアク
セスポイントに配置され、そのアクセスポイントを識別するアクセスポイントＩＤ３１を
有している。ユーザの携帯するＩＤ端末２は、アクセスポイントに配置されたＩＤ媒体３
からアクセスポイントＩＤ３１を読込むＩＤリーダ２１と、ユーザを識別するユーザＩＤ
２２と、システム制御系１と無線通信により、ユーザＩＤ２２とアクセスポイントＩＤ３
１を送信する無線通信手段２３を有している。
また、システム制御系１は、ユーザＩＤ２２とアクセスポイントＩＤ３１に対応して機
器の制御内容を定義した制御テーブル１１を有し、この制御テーブル１１により、ユーザ
を認識する。
図２は、この発明の実施の形態１によるＩＤ認識システムの動作を示すフローチャート
である。
図３は、この発明の実施の形態１によるＩＤ認識システムの制御テーブルの例を示す図
である。
図３において、このテーブルでは、アクセスポイントＩＤ及びユーザＩＤの組合せによ
りシステム制御内容が定義されている。例えば、アクセスポイントＩＤがＩＤａ、ユーザ
ＩＤがＩＤαの場合には、システム制御内容は、図３のテーブルに示されるように、制御
ａαとなる。なお、システム制御の内容については、時刻やシステム状態などのパラメー
タによって変動することもあり得る。また、システム制御内容に応じて、一つまたは複数
の機器が対応付けられ、その機器に対して制御指令が出される。
【００１１】
次に、動作について説明する。
このように構成されたＩＤ認識システムでは、個々のアクセスポイントで、アクセスポ
イントＩＤ３１及びユーザが持つユーザＩＤ２２が、システム制御系１に送信されること
によって、システム制御系１に属する機器６の制御や情報処理が行われる。
このＩＤ認識システムでは、物体や空間などの個々のアクセスポイントにアクセスポイ
ントＩＤ３１を格納したＩＤ媒体３が配置される。ＩＤ媒体３は、非接触ＩＤチップ、磁
気ストライプ、バーコードなどである。
一方、ユーザが持つＩＤ端末２には、アクセスポイントＩＤ３１を読み込むためのＩＤ
リーダ２１が装備されており、無線通信手段２３によって、アクセスポイントＩＤ３１と
ユーザＩＤ２２がシステム制御系１に送信される。
ここで、ＩＤリーダ２１は、非接触ＩＤカードリーダ、磁気カードリーダ、バーコード
リーダなどが用いられる。また、無線通信手段２３は、携帯電話網、無線ＬＡＮ、ブルー
トゥースなどに対応するものである。
システム制御系１には、図３のような制御テーブル１１があり、送信されたアクセスポ
イントＩＤ３１とユーザＩＤ２２と制御テーブル１１との照合に応じてシステム制御内容
が決定され、各機器６の機器コントローラ６１に制御指令が送信される。これによりシス
テムの各機器６が制御されることになる。
【００１２】
なお、制御テーブル１１を有するシステム制御系１は、論理的な概念であり、システム
上での実際の位置、構成または形態を問わない（ネットワーク上のサーバとして存在する
こともあれば、ＩＤ端末上に存在することもあり得る）。
【００１３】
次に、図２のフローチャートにより、ＩＤ認識システムの動作について説明する。
ユーザがアクセスポイントに接近したとき、ＩＤ端末２のＩＤリーダ２１により、ＩＤ
媒体３からアクセスポイントＩＤ３１を読み込む（ステップＳ１）。次いで、ＩＤ端末２
は、ユーザＩＤ２２及びアクセスポイントＩＤ３１をシステム制御系１に送信する（ステ
ップＳ２）。
システム制御系１では、これを受信して、制御テーブル１１との照合により、ユーザＩ
Ｄ２２及びアクセスポイントＩＤ３１に対応するシステム制御内容を決定する（ステップ
Ｓ３）。これに基づき各機器６の機器コントローラ６１に制御指令を送信する（ステップ
Ｓ４）。
機器コントローラ６１は、この制御指令により機器６の制御を行う（ステップＳ５）。
【００１４】
実施の形態１によれば、ユーザ数よりもアクセスポイントが多いシステムでは、高価な
ＩＤリーダの数を減らすことができ、システムのコスト低減を図ることができる。
また、アクセスポイントそのものにＩＤ媒体を配置するため、機器の位置に制約を受け
ず、自由なレイアウトができる。
また、アクセスポイントと機器とのインタフェースが不要であり、アクセスポイントを
１つの機器に対して２つ以上対応させることも容易である。
【産業上の利用可能性】
【００１５】
個々のアクセスポイントで、ユーザが持つユーザＩＤをシステムが読み込むことによっ
て、システムに属する機器の制御や情報処理を行うシステム、すなわち入退室管理システ
ム、機械警備システム、省エネ制御システム、ＰＣログインシステム、出退勤管理システ
ム、金融ＡＴＭ、オンライン決済システムなどに適用される。
【図面の簡単な説明】
【００１６】
【図１】この発明の実施の形態１によるＩＤ認識システムを示すシステム構成図である。
【図２】この発明の実施の形態１によるＩＤ認識システムの動作を示すフローチャートである。
【図３】この発明の実施の形態１によるＩＤ認識システムの制御テーブルの例を示す図である。
【符号の説明】
【００１７】
１  システム制御系
２  ＩＤ端末
３  ＩＤ媒体
４  システムネットワーク
６  機器
１１  制御テーブル
２１  ＩＤリーダ
２２  ユーザＩＤ
２３  無線通信手段
３１  アクセスポイントＩＤ
６１  機器コントローラ
【図１】
2006201840.tif 000003
【図２】
2006201840.tif 000004
【図３】
2006201840.tif 000005